(57)【要約】  蒸気回収方法が提供される。蒸気回収方法の１つの実施形態は、組み合わされた気相および液相の流体を管によって提供することを含み、管はガス通気孔を含む。次に、気相流体の少なくとも一部をガス通気孔で除去することを含む。次に、気相流体の除去された部分を圧縮し、それによって圧縮ガスストリームを形成することを含む。最後に、圧縮ガスストリームを、コンプレッサの下流の貯蔵タンクに蓄積することを含む。【選択図】図１
2018532959.tif 000002
【特許請求の範囲】
【請求項１】
・組み合わされた気相および液相の流体（１０３）を管（１０１）によって提供することであって、前記管（１０１）（がガス通気孔（１０２）を含むこと、
・気相流体（１０４）の少なくとも一部を前記ガス通気孔（１０２）で除去すること、
・前記気相流体（１０４）の除去された部分を圧縮し、それによって圧縮ガスストリーム（１０６）を形成すること、
・前記圧縮ガスストリーム（１０６）を、前記コンプレッサ（１０５）の下流の貯蔵タンク（１０７）に蓄積すること
を含む蒸気回収方法。
【請求項２】
前記組み合わされた気相および液相の流体（１０３）が極低温流体である、請求項１に記載の蒸気回収方法。
【請求項３】
前記組み合わされた気相および液相の流体（１０３）が、窒素、アルゴン、酸素、二酸化炭素およびそれらの組合せからなる群から選択される、請求項１に記載の蒸気回収方法。
【請求項４】
・圧縮ガスストリーム（１０６）中に混入されたあらゆる液相流体を、前記ガス通気孔（１０２）の下流および前記コンプレッサ（１０５）の上流の蒸発器（１０８）内で蒸発させること
をさらに含む、請求項１〜３のいずれか一項に記載の蒸気回収方法。
【請求項５】
前記蒸発器（１０８）が前記圧縮ガスストリーム（１０６）を周囲温度まで加熱する、請求項４に記載の蒸気回収方法。
【請求項６】
前記組み合わされた気相および液相の流体（１０３）が、５ｐｓｉｇ以下の圧力である、請求項１〜５のいずれか一項に記載の蒸気回収方法。
【請求項７】
圧縮ガスストリーム（１０６）が５０ｐｓｉｇの最大圧力までの圧力まで圧縮される、請求項１〜６のいずれか一項に記載の蒸気回収方法。
【請求項８】
圧縮ガスストリーム（１０６）が２５ｐｓｉｇ〜４５ｐｓｉｇの圧力まで圧縮される、請求項１〜７のいずれか一項に記載の蒸気回収方法。
【請求項９】
・前記圧縮ガスストリーム（１０９）の少なくとも一部を、前記コンプレッサ（１０５）の下流の現場ユーザ（１０９）に提供すること
をさらに含む、請求項１〜８のいずれか一項に記載の蒸気回収方法。
【請求項１０】
・前記圧縮ガスストリーム（１０９）の少なくとも一部を、前記貯蔵タンク（１０７）の下流の現場ユーザ（１０８）に提供すること
をさらに含む、請求項１〜９のいずれか一項に記載の蒸気回収方法。
【発明の詳細な説明】
【技術分野】
【０００１】
関連出願の相互参照
本出願は、あらゆる目的のために参照により完全な形で本明細書に組み込まれる２０１５年９月２５日に出願された米国仮特許出願第６２／２３２，６６５号明細書および２０１６年６月１日に出願された米国特許出願第１５／１７０，６１４号明細書の利益を主張する。
【背景技術】
【０００２】
極低温液体がコンビナート内で管を通って流れる場合、一般に液体の一部は蒸発し、典型的には望ましくない二相流を生じさせる。液体が管システムを通って移動するとき、このフラッシングが、管内の熱伝導のせいで、または単に避けられない圧力低下のせいで起こり得る。一般に周期的蒸気除去装置が設けられ、それはクライオベント（ｃｒｙｏｖｅｎｔｓ）、キープフル（ｋｅｅｐ−ｆｕｌｌ）、キープコールド（ｋｅｅｐ−ｃｏｌｄ）、ガス通気孔、または蒸気通気孔とよばれる。本文書中、これらの装置を蒸気通気孔とよぶ。
【０００３】
これらの蒸気通気孔は、液体レベルが低下するとガスが出ることを許容する機械的フロート部分を有する機械的排気機構である。これらの蒸気通気孔が適切に配置され、適切に機能する場合、それらは管路を通って流れる液体流を維持する。
【０００４】
典型的に、蒸気通気孔から放出される蒸気は、単に周囲大気に排気される。いくつかの場合、この蒸気を捕捉し、場合によっては再循環することが望ましい。蒸気通気孔からの排気蒸気を捕捉し、保存し、場合によっては再利用する手段の必要性が産業界に存在する。
【発明の概要】
【課題を解決するための手段】
【０００５】
蒸気回収方法が提供される。蒸気回収方法の１つの実施形態は、組み合わされた気相および液相の流体を管によって提供することを含み、管はガス通気孔を含む。次に、気相流体の少なくとも一部をガス通気孔で除去することを含む。次に、気相流体の除去された部分を圧縮し、それによって圧縮ガスストリームを形成することを含む。最後に、圧縮ガスストリームを、コンプレッサの下流の貯蔵タンクに蓄積することを含む。
【図面の簡単な説明】
【０００６】
【図１】本発明の一実施形態による概略図である。
【発明を実施するための形態】
【０００７】
本発明の例示的な実施形態を以下に記載する。本発明は様々な修正および代替形態が可能であるが、その特定の実施形態が図面中に例として示されており、本明細書において詳細に記載されている。しかしながら、特定の実施形態に関する本明細書の記載は、本発明を開示された特定の形態に限定することを意図したものではなく、むしろ、本発明は、添付の特許請求の範囲によって定義される本発明の趣旨および範囲内にある全ての修正物、等価物および代替物を網羅することを理解されたい。
【０００８】
そのようないずれかの実際の実施形態の開発においては、開発者の特定の目標を達成するために、システムおよびビジネスに関連する制約への遵守など、実践ごとに変化し得る多数の実践固有決定がなされなければならないことは当然のことながら認識されよう。さらに、このような開発努力は複雑で時間を要するかもしれないが、本開示の恩恵を受ける当業者にとって日常的な業務であろうことは理解されよう。
【０００９】
クライオベント、キープフル、キープコールド、または蒸気通気孔としても知られているガス通気孔が、当業者に周知である。典型的にこれらのガス通気孔は、流体処理管路に接続される小型貯蔵器と共に設計される。ガス通気孔は、管路に沿った高い地点に、または当業者が適切な場所であると認識し得るいずれの場所に据え付けられてもよい。管路内のその場所に液体だけが存在する場合、貯蔵器は液体だけを含有するだろう。ガス通気孔は典型的に、通気孔バルブを作動する機械的フロート部分を有する。蒸気が管路内のこの場所に存在するにつれて、適切に設計され設置された場合、この蒸気は貯蔵器に蓄積する。これは機械的フロート部分を動かし、最終的に通気孔バルブを開放し、それによって、蒸気が管路システムを離れることを許容する。
【００１０】
図１を参照すると、それは本出願の唯一の図であるが、蒸気回収方法１００が記載されている。蒸気回収方法１００の１つの実施形態は、組み合わされた気相および液相の流体１０３を管１０１によって提供することを含み、管１０１はガス通気孔１０２を含む。次に、気相流体１０４の少なくとも一部をガス通気孔１０２で除去することを含む。次に、気相流体１０４の除去された部分を圧縮し、それによって圧縮ガスストリーム１０６を形成することを含む。最後に、圧縮ガスストリーム１０６を、コンプレッサ１０５の下流の貯蔵タンク１０７に蓄積することを含む。
【００１１】
組み合わされた気相および液相の流体１０３は、極低温流体であり得る。組み合わされた気相および液相の流体１０３は、窒素、アルゴン、酸素、二酸化炭素およびそれらの組合せからなる群から選択されてもよい。組み合わされた気相および液相の流体１０３は、５ｐｓｉｇ以下の圧力であり得る。コンプレッサ１０５は、気相流体の除去された部分を５０ｐｓｉｇまで圧縮するように構成されてもよい。コンプレッサ１０５は、気相の除去された部分を２５ｐｓｉｇ〜４５ｐｓｉｇの間から圧縮するように構成されてもよい。
【００１２】
別の実施形態では、蒸気回収方法１００は、圧縮ガスストリーム１０９の少なくとも一部を、コンプレッサ１０５の下流の現場ユーザ１０９に提供することを含む。
【００１３】
別の実施形態では、蒸気回収方法１００は、圧縮ガスストリーム１０９の少なくとも一部を、貯蔵タンク１０７の下流の現場ユーザ１０８に提供することを含む。
【図１】
2018532959.tif 000003
【国際調査報告】
2018532959.tif 000004
2018532959.tif 000005
2018532959.tif 000006